(57)【要約】  【課題】  建設工事の受発注者間の情報共有をより高度に実現する情報共有システムを提供する。  【解決手段】  情報共有システム１は、建設工事の受発注者間の情報共有を実現する受発注者間情報共有システム２と、建設資材のカタログ情報及び試験成績表を管理する資材情報共有システム３とを互いに連携させることにより、発注者、受注者、及び資材提供者の間の情報共有を実現する。特に、情報共有システム１は、カタログ情報及び試験成績表を資材ＤＢ３２に登録しておき、これらのリンク情報を受発注者間で共有させることにより、データ転送量を低減させると共に、カタログ情報及び試験成績表の原本性を保証する。【選択図】図１
2007207137.tif 000002
【特許請求の範囲】
【請求項１】
建設工事を発注する発注者の発注者端末と、この建設工事を受注する受注者の受注者端末と、建設資材を提供する資材提供者の資材提供者端末とを含む情報共有システムであって、
建設資材に関する資材情報を前記資材提供者端末から取得し、取得された資材情報を記憶する資材情報記憶手段と、
前記受注者端末からの指示に応じて、前記資材情報記憶手段に記憶されている資材情報の中から、少なくとも１つの資材情報を選択し、選択された資材情報にアクセスするためのリンク情報を生成するリンク情報生成手段と、
前記リンク情報生成手段により生成されたリンク情報を、前記発注者端末に提供するリンク提供手段と
を有する情報共有システム。
【請求項２】
前記受注者端末は、建設工事を特定して、いずれかの建設資材を指定し、
前記リンク情報生成手段は、前記特定された建設工事に対応付けて、指定された建設資材の資材情報を閲覧するためのリンク情報を生成し、
前記リンク提供手段は、生成されたリンク情報を、このリンク情報に対応付けられた建設工事に対応付けて前記発注者端末に提供する
請求項１に記載の情報共有システム。
【請求項３】
前記受注者端末からの指示に応じて、前記資材情報記憶手段の記憶領域に、建設工事に対応付けられた格納レコードを生成するレコード生成手段と、
前記受注者端末からの指示に応じて、前記レコード生成手段により生成された格納レコードに対する格納権限を前記資材提供者端末に付与する権限付与手段と
をさらに有し、
前記資材提供者端末は、前記権限付与手段により付与された格納権限に基づいて、前記建設工事に対応付けられた格納レコードに、前記リンク情報生成手段により生成されたリンク情報を格納し、
前記リンク提供手段は、前記格納レコードに格納されたリンク情報を提供する
請求項２に記載の情報共有システム。
【請求項４】
この情報共有システムは、同一の建設工事を受注する複数の受注者のために、複数の受注者端末を含み、
複数の前記受注者端末それぞれは、前記建設工事を識別する工事識別情報を用いて、建設工事の内容に関する情報を前記発注者端末と共有しており、
前記受注者端末それぞれは、前記工事識別情報と、いずれかの建設資材の識別情報とを用いて、建設工事の特定、及び、建設資材の指定を行い、
前記レコード生成手段は、前記工事識別情報に対応付けられた格納レコードを建設資材毎に生成し、
前記リンク提供手段は、前記工事識別情報に対応付けられた格納レコードに格納されたリンク情報を、この工事識別情報に対応付けて前記発注者端末に送信する
請求項３に記載の情報共有システム。
【請求項５】
前記発注者端末は、発注者の操作に応じて、前記リンク提供手段から提供されたリンク情報を用いて、前記資材情報を表示し、発注者の承認操作に応じて、前記受注者端末により指定された建設資材に対する承認情報を生成する
請求項１に記載の情報共有システム。
【請求項６】
前記受注者端末及び前記発注者端末で入力される建設工事の内容に関する情報を、この建設工事を識別する工事識別情報に対応付けて記憶する工事情報記憶手段と、
前記発注者端末により建設資材に対する承認情報が生成された場合に、この建設資材の資材情報又は資材情報のリンク情報を、前記工事識別情報に対応付けて前記工事情報記憶手段に登録する資材情報登録手段と
をさらに有する請求項５に記載の情報共有システム。
【請求項７】
前記資材情報には、建設資材の発送元の位置を特定するための発送元位置情報が含まれており、
前記建設情報の内容に関する情報には、建設現場の位置を特定する現場位置特定情報が含まれており、
前記工事情報記憶手段に記憶されている発送元位置情報及び現場位置特定情報に基づいて、建設資材の運搬作業に対応する環境負荷量を算出する環境負荷算出手段
をさらに有する請求項６に記載の情報共有システム。
【請求項８】
建設工事を発注する発注者の発注者端末と、この建設工事を受注する受注者の受注者端末と、建設資材の品質を検査する品質検査者の検査者端末とを含む情報共有システムであって、
前記発注者端末及び前記受注者端末は、建設工事を識別する工事識別情報を用いて、この建設工事に関する情報を管理し、
前記検査者端末は、品質検査者の操作に応じて、前記工事識別情報に関連付けて、建設工事で用いられる建設資材の検査結果を示す品質情報を生成し、
前記生成された品質情報、及び、この品質情報に関連付けられた工事識別情報の組合せの真正性を保証する真正性保証手段と、
前記真正性保証手段により組合せの真正性が保証された前記工事識別情報及び前記品質情報を、前記発注者端末に提供する情報提供手段と
を有する情報共有システム。
【請求項９】
建設工事を発注する発注者の発注者端末、及び、建設工事を受注する受注者の受注者端末を含む情報共有システムであって、
前記受注者端末又は前記発注者端末により編集される文書ファイルを、前記発注者及び前記受注者の間で受発注された建設工事を識別する工事識別情報に対応付けて記憶する工事情報記憶手段と、
前記発注者端末又は前記受注者端末によって編集される文書フォーマットについて、２以上の文書フォーマットの間で共通する共通項目を記憶する項目属性管理手段と、
前記発注者端末又は前記受注者端末によって文書ファイルのいずれかの共通項目が編集された場合に、同一の工事識別情報に対応付けられている複数の文書ファイルのうち、編集された共通項目を有する他の文書ファイルの当該共通項目に対して、同一の編集を施す共通項目管理手段と
を有する情報共有システム。
【請求項１０】
建設資材に関する資材情報を記憶する資材情報記憶手段と、
建設工事の受注者から建設資材が指定されると、前記資材情報記憶手段により記憶されている資材情報のうち、指定された建設資材の資材情報に対する閲覧を可能にするリンク情報を生成するリンク生成手段と、
前記リンク生成手段により生成されたリンク情報を前記建設工事に対応付けて提供するリンク提供手段と
を有する資材情報提供装置。
【請求項１１】
建設工事を識別する工事識別情報を取得する情報取得手段と、
ユーザの操作に応じて、建設工事で用いられた建設資材の検査結果を示す品質情報を生成する品質情報生成手段と、
前記情報取得手段により取得された工事識別情報、及び、前記品質情報生成手段により生成された品質情報の組合せの真正性が保証される態様で、前記工事識別情報及び前記品質情報が含まれたデータファイルを生成する真正性保証手段と、
前記真正性保証手段により生成されたデータファイルを提供する情報提供手段と
を有する品質情報提供装置。
【請求項１２】
建設工事を識別する工事識別情報と、
建設資材の検査結果を示す品質情報と
を有し、
前記工事識別情報及び前記品質情報の組合せの真正性が保証された態様で構成されている
データファイル。
【請求項１３】
建設工事を発注する発注者の発注者端末と、この建設工事を受注する受注者の受注者端末と、建設資材を提供する資材提供者の資材提供者端末と、情報を管理するサーバ装置とを用いた情報管理方法であって、
前記サーバ装置は、建設資材に関する資材情報を前記資材提供者端末から受信し、
前記サーバ装置は、前記受注者端末又は前記資材提供者端末からの指示に応じて、前記受信した資材情報の中から、少なくとも１つの資材情報を選択し、
前記サーバ装置は、前記選択された資材情報にアクセスするためのリンク情報を生成し、
前記サーバ装置は、前記生成されたリンク情報を、前記発注者端末に提供する
情報管理方法。
【請求項１４】
建設工事を発注する発注者の発注者端末と、この建設工事を受注する受注者の受注者端末と、建設資材の品質を検査する品質検査者の検査者端末とを用いた情報管理方法であって、
前記発注者端末及び前記受注者端末は、建設工事を識別する工事識別情報を用いて、この建設工事に関する情報を管理し、
前記検査者端末は、品質検査者の操作に応じて、前記工事識別情報に関連付けて、建設工事で用いられる建設資材の検査結果を示す品質情報を生成し、
前記検査者端末は、前記生成された品質情報、及び、この品質情報に関連付けられた工事識別情報に基づいて、建設工事と品質情報との組合せの真正性を示す保証情報を生成し、
前記検査者端末は、前記生成された保証情報、及び、前記生成された品質情報を、前記工事識別情報に対応付けて前記発注者端末に提供する
情報管理方法。
【請求項１５】
建設工事を発注する発注者の発注者端末、この建設工事を受注する受注者の受注者端末、及び、建設資材を提供する資材提供者の資材提供者端末と通信を行うコンピュータにおいて、
建設資材に関する資材情報を前記資材提供者端末から受信するステップと、
前記受注者端末又は前記資材提供者端末からの指示に応じて、前記受信した資材情報の中から、少なくとも１つの資材情報を選択するステップと、
前記選択された資材情報にアクセスするためのリンク情報を生成するステップと、
前記生成されたリンク情報を、前記発注者端末に提供するステップと
を前記コンピュータに実行させるプログラム。
【請求項１６】
建設工事を発注する発注者の発注者端末、及び、この建設工事を受注する受注者の受注者端末が含まれたシステムにおいて、前記発注者端末及び前記受注者端末は、建設工事を識別する工事識別情報を用いて、この建設工事に関する情報を管理し、
少なくとも前記発注者端末と通信を行うコンピュータにおいて、
前記建設工事で用いられる建設資材の検査結果を示す品質情報、及び、この建設資材が用いられる建設工事の工事識別情報に基づいて、建設工事と品質情報との組合せの真正性を示す保証情報を生成するステップと、
前記生成された保証情報、及び、前記生成された品質情報を、前記工事識別情報に対応付けて前記発注者端末に提供するステップと
を前記コンピュータに実行させるプログラム。
【発明の詳細な説明】
【技術分野】
【０００１】
本発明は、建設工事に関する情報を共有する情報共有システムに関する。
【背景技術】
【０００２】
例えば、非特許文献１には、建設工事に関する情報を電子文書化することが開示されている。
【非特許文献１】http://www.mlit.go.jp/tec/it/cals/index.html
【発明の開示】
【発明が解決しようとする課題】
【０００３】
本発明は、上述した背景からなされたものであり、建設工事の受発注者間の情報共有をより高度に実現する情報共有システムを提供することを目的とする。
【課題を解決するための手段】
【０００４】
上記目的を達成するために、本発明にかかる情報共有システムは、建設工事を発注する発注者の発注者端末と、この建設工事を受注する受注者の受注者端末と、建設資材を提供する資材提供者の資材提供者端末とを含む情報共有システムであって、建設資材に関する資材情報を前記資材提供者端末から取得し、取得された資材情報を記憶する資材情報記憶手段と、前記受注者端末からの指示に応じて、前記資材情報記憶手段に記憶されている資材情報の中から、少なくとも１つの資材情報を選択し、選択された資材情報にアクセスするためのリンク情報を生成するリンク情報生成手段と、前記リンク情報生成手段により生成されたリンク情報を、前記発注者端末に提供するリンク提供手段とを有する。
好適には、前記受注者端末は、建設工事を特定して、いずれかの建設資材を指定し、前記リンク情報生成手段は、前記特定された建設工事に対応付けて、指定された建設資材の資材情報を閲覧するためのリンク情報を生成し、前記リンク提供手段は、生成されたリンク情報を、このリンク情報に対応付けられた建設工事に対応付けて前記発注者端末に提供する。
好適には、前記受注者端末からの指示に応じて、前記資材情報記憶手段の記憶領域に、建設工事に対応付けられた格納レコードを生成するレコード生成手段と、前記受注者端末からの指示に応じて、前記レコード生成手段により生成された格納レコードに対する格納権限を前記資材提供者端末に付与する権限付与手段とをさらに有し、前記資材提供者端末は、前記権限付与手段により付与された格納権限に基づいて、前記建設工事に対応付けられた格納レコードに、前記リンク情報生成手段により生成されたリンク情報を格納し、前記リンク提供手段は、前記格納レコードに格納されたリンク情報を提供する。
好適には、この情報共有システムは、同一の建設工事を受注する複数の受注者のために、複数の受注者端末を含み、複数の前記受注者端末それぞれは、前記建設工事を識別する工事識別情報を用いて、建設工事の内容に関する情報を前記発注者端末と共有しており、前記受注者端末それぞれは、前記工事識別情報と、いずれかの建設資材の識別情報とを用いて、建設工事の特定、及び、建設資材の指定を行い、前記レコード生成手段は、前記工事識別情報に対応付けられた格納レコードを建設資材毎に生成し、前記リンク提供手段は、前記工事識別情報に対応付けられた格納レコードに格納されたリンク情報を、この工事識別情報に対応付けて前記発注者端末に送信する。
好適には、前記発注者端末は、発注者の操作に応じて、前記リンク提供手段から提供されたリンク情報を用いて、前記資材情報を表示し、発注者の承認操作に応じて、前記受注者端末により指定された建設資材に対する承認情報を生成する。
好適には、前記受注者端末及び前記発注者端末で入力される建設工事の内容に関する情報を、この建設工事を識別する工事識別情報に対応付けて記憶する工事情報記憶手段と、前記発注者端末により建設資材に対する承認情報が生成された場合に、この建設資材の資材情報又は資材情報のリンク情報を、前記工事識別情報に対応付けて前記工事情報記憶手段に登録する資材情報登録手段とをさらに有する。
好適には、前記資材情報には、建設資材の発送元の位置を特定するための発送元位置情報が含まれており、前記建設情報の内容に関する情報には、建設現場の位置を特定する現場位置特定情報が含まれており、前記工事情報記憶手段に記憶されている発送元位置情報及び現場位置特定情報に基づいて、建設資材の運搬作業に対応する環境負荷量を算出する環境負荷算出手段をさらに有する。
【０００５】
また、本発明にかかる情報共有システムは、建設工事を発注する発注者の発注者端末と、この建設工事を受注する受注者の受注者端末と、建設資材の品質を検査する品質検査者の検査者端末とを含む情報共有システムであって、前記発注者端末及び前記受注者端末は、建設工事を識別する工事識別情報を用いて、この建設工事に関する情報を管理し、前記検査者端末は、品質検査者の操作に応じて、前記工事識別情報に関連付けて、建設工事で用いられる建設資材の検査結果を示す品質情報を生成し、前記生成された品質情報、及び、この品質情報に関連付けられた工事識別情報の組合せの真正性を保証する真正性保証手段と、前記真正性保証手段により組合せの真正性が保証された前記工事識別情報及び前記品質情報を、前記発注者端末に提供する情報提供手段とを有する。
【０００６】
また、本発明にかかる情報共有システムは、建設工事を発注する発注者の発注者端末、及び、建設工事を受注する受注者の受注者端末を含む情報共有システムであって、前記受注者端末又は前記発注者端末により編集される文書ファイルを、前記発注者及び前記受注者の間で受発注された建設工事を識別する工事識別情報に対応付けて記憶する工事情報記憶手段と、前記発注者端末又は前記受注者端末によって編集される文書フォーマットについて、２以上の文書フォーマットの間で共通する共通項目を記憶する項目属性管理手段と、前記発注者端末又は前記受注者端末によって文書ファイルのいずれかの共通項目が編集された場合に、同一の工事識別情報に対応付けられている複数の文書ファイルのうち、編集された共通項目を有する他の文書ファイルの当該共通項目に対して、同一の編集を施す共通項目管理手段とを有する。
【０００７】
また、本発明にかかる資材情報提供装置は、建設資材に関する資材情報を記憶する資材情報記憶手段と、建設工事の受注者から建設資材が指定されると、前記資材情報記憶手段により記憶されている資材情報のうち、指定された建設資材の資材情報に対する閲覧を可能にするリンク情報を生成するリンク生成手段と、前記リンク生成手段により生成されたリンク情報を前記建設工事に対応付けて提供するリンク提供手段とを有する。
【０００８】
また、本発明にかかる品質情報提供装置は、建設工事を識別する工事識別情報を取得する情報取得手段と、ユーザの操作に応じて、建設工事で用いられた建設資材の検査結果を示す品質情報を生成する品質情報生成手段と、前記情報取得手段により取得された工事識別情報、及び、前記品質情報生成手段により生成された品質情報の組合せの真正性が保証される態様で、前記工事識別情報及び前記品質情報が含まれたデータファイルを生成する真正性保証手段と、前記真正性保証手段により生成されたデータファイルを提供する情報提供手段とを有する。
【０００９】
また、本発明にかかるデータファイルは、建設工事を識別する工事識別情報と、建設資材の検査結果を示す品質情報とを有し、前記工事識別情報及び前記品質情報の組合せの真正性が保証された態様で構成されている。
【００１０】
また、本発明にかかる情報管理方法は、建設工事を発注する発注者の発注者端末と、この建設工事を受注する受注者の受注者端末と、建設資材を提供する資材提供者の資材提供者端末と、情報を管理するサーバ装置とを用いた情報管理方法であって、前記サーバ装置は、建設資材に関する資材情報を前記資材提供者端末から受信し、前記サーバ装置は、前記受注者端末又は前記資材提供者端末からの指示に応じて、前記受信した資材情報の中から、少なくとも１つの資材情報を選択し、前記サーバ装置は、前記選択された資材情報にアクセスするためのリンク情報を生成し、前記サーバ装置は、前記生成されたリンク情報を、前記発注者端末に提供する。
また、本発明にかかる情報管理方法は、建設工事を発注する発注者の発注者端末と、この建設工事を受注する受注者の受注者端末と、建設資材の品質を検査する品質検査者の検査者端末とを用いた情報管理方法であって、前記発注者端末及び前記受注者端末は、建設工事を識別する工事識別情報を用いて、この建設工事に関する情報を管理し、前記検査者端末は、品質検査者の操作に応じて、前記工事識別情報に関連付けて、建設工事で用いられる建設資材の検査結果を示す品質情報を生成し、前記検査者端末は、前記生成された品質情報、及び、この品質情報に関連付けられた工事識別情報に基づいて、建設工事と品質情報との組合せの真正性を示す保証情報を生成し、前記検査者端末は、前記生成された保証情報、及び、前記生成された品質情報を、前記工事識別情報に対応付けて前記発注者端末に提供する。
【００１１】
また、本発明にかかるプログラムは、建設工事を発注する発注者の発注者端末、この建設工事を受注する受注者の受注者端末、及び、建設資材を提供する資材提供者の資材提供者端末と通信を行うコンピュータにおいて、建設資材に関する資材情報を前記資材提供者端末から受信するステップと、前記受注者端末又は前記資材提供者端末からの指示に応じて、前記受信した資材情報の中から、少なくとも１つの資材情報を選択するステップと、前記選択された資材情報にアクセスするためのリンク情報を生成するステップと、前記生成されたリンク情報を、前記発注者端末に提供するステップとを前記コンピュータに実行させる。
また、本発明にかかるプログラムは、建設工事を発注する発注者の発注者端末、及び、この建設工事を受注する受注者の受注者端末が含まれたシステムにおいて、前記発注者端末及び前記受注者端末は、建設工事を識別する工事識別情報を用いて、この建設工事に関する情報を管理し、少なくとも前記発注者端末と通信を行うコンピュータにおいて、前記建設工事で用いられる建設資材の検査結果を示す品質情報、及び、この建設資材が用いられる建設工事の工事識別情報に基づいて、建設工事と品質情報との組合せの真正性を示す保証情報を生成するステップと、前記生成された保証情報、及び、前記生成された品質情報を、前記工事識別情報に対応付けて前記発注者端末に提供するステップとを前記コンピュータに実行させる。
【発明の効果】
【００１２】
本発明の情報共有システムによれば、建設工事の受発注者間の情報共有をより高度に実現することができる。
例えば、本発明の情報共有システムによれば、建設工事に用いられる建設資材に関する情報を共有することができる。
【発明を実施するための最良の形態】
【００１３】
まず、本発明が適用される情報共有システム１の全体構成を説明する。
図１は、調査支援システム１の全体構成を例示する図である。
図１に例示するように、情報共有システム１は、発注者端末４０２及び受注者端末４０４がアクセスする受発注者間情報共有システム２と、資材メーカ端末４０６及び検査機関端末８がアクセスする資材情報共有システム３とを含む。
発注者端末４０２は、建設工事の発注者が利用するコンピュータ端末であり、発注者の操作に応じて、建設工事に対する要求、及び、受注者からの発議に対して承認又は変更要求などを行う。
受注者端末４０４は、建設工事の受注者が利用するコンピュータ端末であり、受注者の操作に応じて、建設工事に関する発議、建設工事に用いる建設資材の資材情報の収集、及び、建設工事で用いられた建設資材の品質検査の依頼などを行う。本例では、建設工事を直接受注した元請け業者の受注者端末４０４Ａと、下請け業者の受注者端末４０４Ｂとが設けられているが、受注者端末４０４の数はこれに限定されるものではない。以下の説明において、元請け業者及び下請け業者は、発注者との関係において、共に建設工事を請け負ったものであり、受注者として総称される場合がある。
資材メーカ端末４０６は、建設資材を供給する資材提供者が利用するコンピュータ端末であり、資材提供者の操作に応じて、建設資材のカタログ情報（資材情報）の提供、及び、建設資材の試験成績表（資材情報、品質情報）の提供などを行う。本例では、第１の資材メーカが利用する第１の資材メーカ端末４０６と、第２の資材メーカが利用する第２の資材メーカ端末４０６Ｂとが設けられているが、資材メーカ端末４０６の数はこれに限定されるものではない。なお、資材メーカ端末４０６は、本発明にかかる資材提供者端末の一例である。
検査機関端末４０８（品質情報提供装置）は、建設資材の試験を請け負う品質検査者が利用するコンピュータ端末であり、品質検査者の操作に応じて、建設資材の検査結果（試験成績表）の作成、及び、検査結果（試験成績表）の提供などを行う。なお、資材メーカ端末４０６及び検査機関端末４０８は、本発明にかかる検査者端末の具体例である。
【００１４】
受発注者間情報共有システム２は、受発注者間で共有される工事情報（建設工事に関する情報）を管理する工事管理サーバ２０と、受発注者間で共有される工事情報を記憶する受発注データベース（受発注ＤＢ）２２とを有する。
工事管理サーバ２０は、建設工事を一意に識別する工事ＩＤ（工事識別情報）を用いて、発注者端末４０２から入力された情報、及び、受注者端末４０４から入力された情報を管理し、これらの情報を工事ＩＤに対応付けて受発注ＤＢ２２に登録する。
また、工事管理サーバ２０は、工事ＩＤに対応付けて、発注者端末４０２及び受注者端末４０４のアクセス権限を管理することにより、特定の建設工事に関する情報の共有を実現する。
【００１５】
資材情報共有システム３は、複数の資材提供者（資材メーカ端末４０６Ａ及び資材メーカ端末４０６Ｂ）から提供されるカタログ情報及び試験成績表を管理する資材管理サーバ３０と、資材管理サーバ３０により管理されるカタログ情報及び試験成績表を記憶する資材データベース（資材ＤＢ）３２とを有する。
資材管理サーバ３０は、複数の資材提供者から提供された各資材のカタログ情報に対して、各資材を識別する資材ＩＤを付与して、カタログ情報を管理する。
資材ＤＢ３２は、複数の資材提供者から提供されたカタログ情報（電子データ）を資材ＩＤに対応付けて記憶する。
【００１６】
また、資材管理サーバ３０は、工事管理サーバ２０と連携することにより、建設工事に用いられる資材のカタログ情報の提供、及び、建設工事に用いられた資材の試験成績表の提供を行う。
より具体的には、資材管理サーバ３０は、受注者端末４０４が建設工事を指定して資材を選択すると、選択された資材のカタログ情報にアクセスするための情報を建設工事に対応付けて受発注者間情報共有システム２に登録する。
本例の資材管理サーバ３０は、受注者端末４０４が建設工事を指定して資材を選択すると、この建設工事に対応付けられた資材フォルダ（少なくとも１つの資材レコードを含む）を作成して、選択された資材のカタログ情報のリンク情報をこの資材フォルダに登録する。この資材フォルダに登録されたリンク情報は、受発注者間情報共有システム２を介して発注者端末４０２に提供される。
【００１７】
また、資材管理サーバ３０は、受注者端末４０４が建設工事を指定して資材の試験を依頼すると、資材メーカ端末４０６又は検査機関端末４０８から提供された試験成績表を建設工事に関連付けられた状態で受発注者間情報共有システム２に登録する。
より具体的には、資材の試験を依頼された資材メーカ端末４０６又は検査機関端末４０８は、作成された試験成績表と、建設工事の工事ＩＤとが含まれた統合ファイルを作成し、作成された統合ファイルを、電子認証システムにより所持人が保証された秘密鍵を用いて暗号化し、暗号化された統合ファイルに、電子認証システムにより発行された電子証明書を付加して資材情報共有システム３に提供する。
この場合に、発注者端末４０２は、資材情報共有システム３及び受発注者間情報共有システム２を介して、暗号化された統合ファイルのリンク情報を取得し、取得されたリンク情報を用いて、統合ファイル（暗号）にアクセスし、電子認証システムに登録された公開鍵を用いて、暗号化された統合ファイル（すなわち、工事ＩＤ及び試験成績表）を復号化する。正常に統合ファイルが復号化されれば、工事ＩＤ（すなわち、建設工事）と試験成績表との組合せの真正性が保証される。また、統合ファイルに付加された電子証明書によって、公開鍵の登録者（すなわち、統合ファイルの提供者）の真正性が保証される。
【００１８】
［工事情報管理プログラム及び資材情報管理プログラム］
図２は、工事管理サーバ２０（図１）により実行され、本発明にかかる情報管理方法を実現する工事情報管理プログラム５の機能構成と、資材管理サーバ３０により実行され、本発明にかかる情報管理方法を実現する資材情報管理プログラム６の機能構成とを例示する図である。
図２に例示するように、工事情報管理プログラム５は、入力管理部５００、工事レコード管理部５１０、データベース連携部（ＤＢ連携部）５２０、権限管理部５３０、電子納品部５４０、及び環境負荷算出部５５０を有する。また、入力管理部５００には、項目属性管理部５０２及び共通項目管理部５０４が含まれている。
なお、本例の工事情報管理プログラム５は、上記機能構成を有するソフトウェアであるが、これに限定されるものではなく、例えば、工事情報管理プログラム５の全部又は一部が、ＡＳＩＣなどのハードウェアで実現されてもよいし、機能構成の一部が発注者端末４０２、受注者端末４０４又は資材管理サーバ３０などに設けられてもよい。
【００１９】
工事情報管理プログラム５において、入力管理部５００は、受発注ＤＢ２２（図１）を監視して、発注者端末４０２又は受注者端末４０４から入力される情報を管理する。より具体的には、入力管理部５００の項目属性管理部５０２は、受発注者間で共有される電子文書の文書フォーマットに含まれる項目の属性を記憶する。項目の属性とは、複数の文書フォーマットの間で共通する項目であるか否か、いずれの文書フォーマット間で共通するものであるか、などを示す情報であり、例えば、発注者端末４０２又は受注者端末４０４から入力される。
共通項目管理部５０４は、項目属性管理部５０２により管理されている項目属性に基づいて、発注者端末４０２又は受注者端末４０４によっていずれかの文書ファイルで共通項目が編集されたと判断した場合に、受発注ＤＢ２２において同一の工事ＩＤに対応付けられた文書ファイルのうち、編集された共通項目を有する他の文書ファイルの共通項目に対して、同一の編集を施す。
例えば、受発注ＤＢ２２は、ＸＭＬなどの構造化文書を記憶しており、項目属性管理部５０２は、発注者端末４０２又は受注者端末４０４からの指示に応じて、各項目の属性を示すタグを生成し、共通項目管理部５０４は、文書ファイルに対する編集が行われると、編集された項目のタグに応じて、他の文書ファイルを編集する。
【００２０】
工事レコード管理部５１０は、受発注ＤＢ２２に記憶されているフォルダ、ファイル及びレコードを管理する。例えば、工事レコード管理部５１０は、発注者端末４０２又は受注者端末４０４が工事ＩＤを指定して工事に関する情報に対するアクセスを要求すると、指定された工事ＩＤに対応する工事フォルダに含まれるフォルダ又はその中の特定のレコードに対してアクセスし、要求されたフォルダ又はレコードを発注者端末４０２又は受注者端末４０４に提供する。また、工事レコード管理部５１０は、権限管理部５３０からの認証結果に応じて、受発注ＤＢ２２の各フォルダ、ファイル又はレコードに対するアクセス（新規作成、閲覧、編集、及び消去など）を制限する。
【００２１】
ＤＢ連携部５２０は、情報転送部６００（後述）と連携して、受発注者間情報共有システム２及び資材情報共有システム３の間の情報共有を実現させる。
本例のＤＢ連携部５２０は、工事ＩＤを用いて、受発注者間情報共有システム２及び資材情報共有システム３の間の情報共有を実現させる。
【００２２】
権限管理部５３０は、権限管理ファイル５３２に予め登録された権限管理情報（例えば、工事ＩＤ、ユーザＩＤ及びパスワード）に基づいて、受発注ＤＢ２２に記憶された情報へのアクセスを許可又は禁止する。また、権限管理部５３０は、受発注ＤＢ２２への権限に基づいて、資材ＤＢ３２に記憶されている情報へのアクセスを許可又は禁止する。本例の権限管理部５３０は、発注者端末４０２又は受注者端末４０４が工事ＩＤを指定してユーザＩＤ及びパスワードを入力してログインを要求すると、この工事ＩＤ、ユーザＩＤ及びパスワードに基づいて認証を行い、ログインが許可されると、受発注ＤＢ２２に記憶された情報のうち、この工事ＩＤに対応する情報へのアクセスを許可し、さらに資材ＤＢ３２に記憶されている情報へのアクセスを許可する。また、本例の権限管理部５３０は、発注者端末４０２又は受注者端末４０４が工事ＩＤに対応付けて資材のカタログ情報を要求すると、資材レコード管理部６１０（後述）により生成される資材レコードのうち、この工事ＩＤ及び資材ＩＤに対応付けられた資材レコードへのアクセス権を資材メーカ端末４０６に付与する。
【００２３】
電子納品部５４０は、発注者端末４０２又は受注者端末４０４が工事ＩＤを指定して建設工事に関する情報の電子納品を要求すると、受発注ＤＢ２２に記憶されている情報のうち、指定された工事ＩＤに対応付けられた情報を読み出すよう工事レコード管理部５１０に指示し、工事レコード管理部５１０を介して取得した情報（建設工事に関する情報、及び、資材に関する情報）を用いて電子納品フォルダを作成する。電子納品フォルダには、例えば、発注図フォルダ、打合せ簿フォルダ、施工計画書フォルダ、完成図フォルダ、及び、写真フォルダなどが含まれる。打合せ簿フォルダには、建設工事で用いられる建設資材の発議書ファイル（本例では、カタログ情報へのリンク情報が含まれる）、及び、建設工事で用いられた建設資材の品質管理ファイル（本例では、試験成績表へのリンク情報が含まれる）などが含まれる。
【００２４】
環境負荷算出部５５０は、受発注ＤＢ２２に記憶されている情報（建設工事に関する情報、及び、資材に関する情報）に基づいて、建設工事に伴う環境負荷を算出する。本例の環境負荷算出部５５０は、発注者端末４０２又は受注者端末４０４から工事ＩＤ及び資材ＩＤを指定して環境負荷量の算出が要求されると、受発注ＤＢ２２に記憶されている情報（建設工事の受発注情報及び資材のカタログ情報）の中から、指定された工事ＩＤに対応する建設現場の位置情報（すなわち、資材の搬送先）と、指定された工事ＩＤ及び資材ＩＤにする資材提供者の位置情報（すなわち、資材の搬送元）とを抽出し、抽出された建設現場の位置情報及び資材提供者（例えば、製造元）の位置情報に基づいて、建設資材の搬送に伴う環境負荷量を算出する。
【００２５】
図２に例示するように、資材情報管理プログラム６は、情報転送部６００、資材レコード管理部６１０、リンク生成部６２０、カタログ登録部６３０、及び、資材情報登録部６４０を有する。なお、本例の資材情報管理プログラム６は、上記機能構成を有するソフトウェアであるが、これに限定されるものではなく、例えば、資材情報管理プログラム６の全部又は一部が、ＡＳＩＣなどのハードウェアで実現されてもよいし、機能構成の一部が資材メーカ端末４０６、検査機関端末４０８又は工事管理サーバ２０に設けられてもよい。
【００２６】
資材情報管理プログラム６において、情報転送部６００は、ＤＢ連携部５２０と連携して、工事ＩＤを用いて、受発注者間情報共有システム２及び資材情報共有システム３の間の情報共有を実現させる。
資材レコード管理部６１０は、資材ＤＢ３２に記憶されている資材フォルダ、資材ファイル及び資材レコード（格納レコード）を管理する。例えば、資材レコード管理部６１０は、受注者端末４０４が工事ＩＤを指定して建設資材を選択すると、資材ＤＢ３２内に、指定された工事ＩＤに対応する資材フォルダを作成し、この資材フォルダ内に、選択された建設資材（資材ＩＤ）に対応する資材レコードを作成する。この場合に、資材レコード管理部６１０は、情報転送部６００及びＤＢ連携部５２０を介して、工事レコード管理部５１０と通信を行い、指定された工事ＩＤに対応する情報（工事名、工事場所、受注者名など）を取得し、取得された情報を資材ファイルに挿入する。資材レコード管理部６１０は、権限管理部５３０からの認証結果に応じて、資材ＤＢ３２内に作成された各フォルダ、ファイル又はレコードに対するアクセスを制限する。なお、本実施形態では、資材ＤＢ３２内に資材フォルダが一時的に作成され、この資材フォルダが最終的に受発注ＤＢ２２内の工事フォルダ内に統合される形態を具体例として説明するが、資材フォルダは必ずしも資材ＤＢ３２内に作成される必要はない。
【００２７】
リンク生成部６２０は、建設資材のカタログ情報又は統合ファイル（試験成績表を含むファイル）にアクセスするためのリンク情報を生成し、資材レコード管理部６１０に対して、生成されたリンク情報を資材レコードに登録するよう指示する。例えば、リンク生成部６２０は、資材メーカ端末４０６からカタログ情報が登録された場合に、登録されたカタログ情報のリンクコードを生成して資材レコードに登録してもよいし、資材ＤＢ３２に予め登録されたリンクコードの中から、選択された資材のリンクコードを資材レコードにコピーしてもよい。
【００２８】
カタログ登録部６３０は、資材メーカ端末４０６から受信した資材のカタログ情報を資材ＤＢ３２の資材カタログフォルダに登録する。本例のカタログ登録部６３０は、資材メーカ端末４０６からカタログ情報のデータファイルを受信すると、受信したカタログ情報に資材ＩＤを付与し、このカタログ情報のデータファイルをこの資材ＩＤに対応付けて資材ＤＢ３２内の資材カタログフォルダに登録する。
【００２９】
資材情報登録部６４０は、資材メーカ端末４０６又は検査機関端末４０８から提供された統合ファイル（試験成績表、工事ＩＤ及び電子証明書が含まれたファイル）を、資材ＤＢ３２の試験成績表フォルダに登録する。本例の資材情報登録部６４０は、資材メーカ端末４０６又は検査機関端末４０８から統合ファイルが資材レコードを指定して登録されると、指定された資材レコードの工事ＩＤ及び資材ＩＤに対応付けてこの統合ファイルを資材ＤＢ３２に登録し、この統合ファイルのリンクコードを、指定された資材レコードに登録するようリンク生成部６２０に指示する。リンク生成部６２０は、これに応じて、この統合ファイルのリンクコードを生成して工事ＩＤに対応付けて資材レコードに登録する。資材レコードに登録されたリンクコード（統合ファイルへのリンク情報）は、情報転送部６００を介して受発注者間情報共有システム２（より具体的には、受発注ＤＢ２２内の工事フォルダ）に転送される。
【００３０】
図３は、工事情報管理プログラム５により管理される情報を例示する図であり、図３（Ａ）は、項目属性管理部５０２により管理される項目属性テーブル２２０を例示し、図３（Ｂ）は、工事レコード管理部５１０により管理される受発注情報テーブル２２２を例示し、図３（Ｃ）は、受発注情報テーブル２２２で管理される打合せ簿フォルダ２２２Ａを例示し、図３（Ｄ）は、権限管理部５３０により管理される権限管理ファイル５３２Ａを例示する。
図３（Ａ）に例示するように、項目属性管理部５０２は、入力項目の属性を、それぞれの入力項目に対応付ける項目属性テーブル２２０を、発注者端末４０２又は受注者端末４０４から取得し、取得された項目属性テーブル２２０にしたがって、工事ＩＤに対応する文書フォーマットのタグを定義する。
【００３１】
図３（Ｂ）に例示するように、工事レコード管理部５１０は、発注者端末４０２又は受注者端末４０４からの指示に応じて、受発注ＤＢ２２内に、複数の工事フォルダ（本例では、発注図フォルダ、打合せ簿フォルダ、及び完成図フォルダなど）を作成し、作成された工事フォルダを工事ＩＤに対応付けて管理する。発注図フォルダには、例えば、建造物の設計段階のＣＡＤ製図が登録され、打合せ簿フォルダには、例えば、発注者及び受注者の間の打合せで用いた文書ファイルなどが登録され、完成図フォルダには、例えば、建造物の完成後のＣＡＤ製図などが登録される。
【００３２】
図３（Ｃ）に例示するように、工事レコード管理部５１０は、発注者端末４０２又は受注者端末４０４からの指示に応じて、図３（Ｂ）の打合せ簿フォルダ２２２の中に、複数の文書ファイル（本例では、発議ファイル１、承認ファイル１、及び発議ファイル２など）を作成し、作成された文書ファイルへの閲覧及び編集などを行う。例えば、受注者端末４０４は、工事レコード管理部５１０（図２）に対して指示を送り、資材の発議文及びリンクコード（後述）が含まれた発議ファイル２を作成し、打合せ簿フォルダ２２２Ａに登録させる。発注者端末４０２は、この発議ファイル２にアクセスして、建設工事に用いられる建設資材の規格などを確認し、資材の承認を行う。
【００３３】
図３（Ｄ）に例示するように、権限管理ファイル５３２には、ユーザＩＤ及びパスワードが互いに対応付けられた権限管理テーブル５３２が工事ＩＤに対応付けて登録されている。発注者端末４０２又は受注者端末４０４が工事ＩＤを指定して、受発注者間情報共有システム２へのログインを要求すると、権限管理部５３０は、この権限管理テーブル５３２を参照して、発注者端末４０２又は受注者端末４０４のユーザを認証し、工事ＩＤに対応する工事フォルダへのアクセスを許可又は禁止する。なお、本例では、権限管理部５３０は、受注者端末４０４が工事ＩＤを指定して建設資材を選択した場合に、選択された資材の提供者（資材メーカなど）に対してレコード単位でアクセス権を付与し、権限管理テーブル５３２Ａに権限情報（ユーザＩＤ及びパスワード）を追加する。同様に、本例の権限管理部５３０は、受注者端末４０４が工事ＩＤを指定して建設資材の試験を依頼した場合に、試験を依頼された品質検査者（検査機関など）に対してレコード単位で資材ファイルへのアクセス権を付与して、権限管理テーブル５３２Ａに権限情報（ユーザＩＤ及びパスワード）を追加する。
【００３４】
図４は、資材情報管理プログラム６により管理される情報を例示する図であり、図４（Ａ）は、カタログ登録部４０６により管理される資材カタログファイル３２０を例示し、図４（Ｂ）は、資材レコード管理部６１０により管理される資材ファイル３２２を例示する。
図４（Ａ）に例示するように、カタログ登録部６３０は、資材メーカ端末４０６から資材のカタログ情報（データファイル）が入力されると、入力されたカタログ情報（資材の製造元、品番、規格、製造年月日など）に対して資材ＩＤを付与して資材ＤＢ３２内の資材カタログファイル３２０（資材カタログフォルダ内のファイル）に追加する。また、リンク生成部６２０は、カタログ情報のリンクコードを予め作成した場合には、作成されたリンクコードを、このカタログ情報のレコードに予め登録しておく。
【００３５】
受注者端末４０４が工事ＩＤを指定して資材を選択すると、資材レコード管理部６１０は、図４（Ｂ）に例示するように、資材ＤＢ３２において工事ＩＤに対応付けて記憶された資材ファイル３２２内に、選択された資材（資材ＩＤ）に対応付けられた資材レコードを作成する。作成された資材レコードは、この資材を提供する資材メーカ４０６にのみアクセスが許可され、この資材メーカ端末４０６からの指示に応じて、リンク生成部６２０により生成されたリンクコードが資材レコードに登録される。これにより、他の資材メーカ等が無断でリンクコードを登録することを禁止することができる。
【００３６】
［試験結果登録プログラム］
図５（Ａ）は、資材メーカ端末４０６（図１）又は検査機関端末４０８（図１）により実行され、本発明にかかる情報管理方法を実現する試験結果登録プログラム７の機能構成を例示する図であり、図５（Ｂ）は、試験結果登録プログラム７により作成される統合ファイル９を例示する図である。
図５に例示するように、試験結果登録プログラム７は、工事情報取得部７００、試験情報生成部７１０、電子署名部７２０、証明書付加部７４０及び試験結果登録部７５０を有する。なお、本例の試験結果登録プログラム７の機能構成の一部は、資材管理サーバ３０などに設けられてもよい。
【００３７】
試験結果登録プログラム７において、工事情報取得部７００は、試験の対象となる建設資材が用いられた建設工事を識別するための情報（例えば、工事ＩＤ又は工事名など）を取得し、取得された情報（以下、工事ＩＤ）を電子署名部７２０に出力する。本例の工事情報取得部７００は、品質検査者が資材メーカ端末４０６又は検査機関端末４０８を用いて、資材情報共有システム３にログインする場合に、ログイン時に指定された工事ＩＤを取得する。
試験情報生成部７１０は、建設資材の品質検査者のＵＩ操作に応じて、試験成績表の文書ファイルを作成し、作成された試験成績表を電子署名部７２０に出力する。
なお、試験情報生成部７１０は、他のコンピュータ端末から、試験成績表を受信してもよい。
【００３８】
電子署名部７２０（真正性保証手段）は、工事情報取得部７００から入力された工事ＩＤと、試験情報生成部７１０から入力された試験成績表との組合せの真正性を保証する。本例の電子署名部７２０は、工事ＩＤ及び試験生成表が含まれた統合ファイルのハッシュ値を算出し、算出されたハッシュ値を、建設工事と試験成績表との組合せの真正性を保証する保証情報とし、さらに、工事ＩＤ及び試験生成表が含まれた統合ファイルを秘密鍵で暗号化する。この秘密鍵に対応する公開鍵は、認証局（図１の電子認証システム）に登録されている。これにより、工事ＩＤ及び試験生成表の組合せの真正性と、工事ＩＤ及び試験生成表の内容の真正性とが保証される。なお、本例では、ハッシュ値の比較、及び、統合ファイルの復号化の可否によって、工事ＩＤ及び試験成績表の組合せの真正性を二重に保証しているが、これに限定されるものではなく、例えば、統合ファイルの復号化の可否のみで真正性を保証してもよい。
【００３９】
証明書付加部７４０は、電子署名部７２０により用いられる秘密鍵に対応する電子証明書を電子証明書ファイル７３０から読み出し、読み出された電子証明書を、統合ファイル（電子署名部７２０により暗号化されたもの）に付加する。この電子証明書は、認証局（図１の電子認証システム）によって、電子署名部７２０により用いられる秘密鍵及びその公開鍵に対して発行されたものである。この電子証明書によって、公開鍵の発行者（すなわち、秘密鍵の所持人）の本人性が保証される。
【００４０】
試験結果登録部７５０（情報提供手段）は、電子証明書が付加された統合ファイル（秘密鍵で暗号化されたもの）を外部に提供する。試験結果登録部７５０により提供される統合ファイル９には、図５（Ｂ）に例示するように、建設工事を識別するための工事ＩＤ９００、資材を識別するための資材ＩＤ９０２、この資材の試験成績表である試験結果ファイル９０４、この統合ファイルの作成者の本人性を保証する電子証明書９０６、及び、工事ＩＤ９００及び試験結果ファイル９０４からなるデータファイルのハッシュ値９０８などが含まれる。本例の試験結果登録部７５０は、資材情報共有システム３にログインし、資材ＤＢ３２内の資材レコードに、証明書付加部７４０から入力された統合ファイル９、及び、この統合ファイル９にアクセスするためのリンクコードを登録する。
【００４１】
［全体動作］
図６は、情報共有システム１における情報共有動作（Ｓ１０）のシーケンス図である。
図６に示すように、ステップ１００（Ｓ１００）において、受発注者間情報共有システム２は、発注者端末４０２と受注者端末４０４との間で、建設工事の電子入札を実施し、建設工事の発注先が決定すると、この建設工事の工事ＩＤを生成する。
ステップ１０５（Ｓ１０５）において、受発注者間情報共有システム２は、発注者端末４０２又は受注者端末４０４からの要求に応じて、図３（Ｂ）に例示する種々のフォルダを作成する。
発注者端末４０２及び受注者端末４０４は、これらのフォルダに文書ファイルを登録し、閲覧及び編集を行うことで、互いに建設工事に関する情報を交換し共有する。
【００４２】
ステップ１１０（Ｓ１１０）において、受注者は、受注した建設工事で使用する資材の発議を行う場合に、受注者端末４０４を操作して、資材情報共有システム３にログインし、資材ＤＢ３２に登録されているカタログ情報の中から、使用する資材を選択する。
なお、受注者は、資材ＤＢ３２にカタログ情報が登録されていない資材を選択したい場合には、受発注者間情報共有システム２及び資材情報共有システム３に対して、資材メーカ端末４０６へのアクセス権の発行を指示し、カタログ情報及びそのリンクコードを登録するよう資材メーカ端末４０６に要求する。
受発注者間情報共有システム２は、資材情報共有システム３と連携して、選択された資材の資材レコードを作成する。
【００４３】
ステップ１１５（Ｓ１１５）において、受発注者間情報共有システム２は、資材情報共有システム３を介して、作成された資材レコードに対するアクセス権を、選択された資材の提供者の資材メーカ端末４０６に発行し、選択された資材のカタログ情報又はリンクコードの登録を資材メーカ端末４０６に要求する。
【００４４】
ステップ１２０（Ｓ１２０）において、資材提供者は、資材メーカ端末４０６を操作して、資材レコードにアクセスし、要求された資材のカタログ情報を資材情報共有システム３に登録する。なお、要求された資材のカタログ情報が既に登録されている場合には、資材提供者は、資材メーカ端末４０６を操作して、受注者から通知された資材ＩＤに対応するリンクコードの生成及び登録を資材情報共有システム３に指示する。資材情報共有システム３は、資材メーカ端末４０６からの指示に応じて、カタログ情報の登録、及び／又は、リンクコードの生成を行い、生成されたリンクコードを資材レコード（図４（Ｂ））に登録する。
【００４５】
ステップ１２５（Ｓ１２５）において、資材情報共有システム３は、資材レコードに登録されたリンクコード（カタログ情報へのリンク情報）を受発注者間情報共有システム２に転送する。受発注者間情報共有システム２は、資材情報共有システム３から転送されたリンクコードを工事フォルダ（図３（Ｃ）の打合せ簿フォルダ２２２）の発議ファイルに追加する。
【００４６】
ステップ１３０（Ｓ１３０）において、発注者は、発注者端末４０２を操作して、打合せ簿フォルダ２２２（図３（Ｃ））内の発議ファイルを選択すると、発議書（図８を参照して後述）が発注者端末４０２に表示される。発注者は、発議書に含まれるリンクコードを用いて、資材ＤＢ３２に登録されているカタログ情報にアクセスし、資材の詳細情報を確認する。このように、リンクコードのみを送受信することにより、カタログ情報の転送回数を減少させてデータ転送量を抑えると共に、カタログ情報の原本性を保証することができる。
【００４７】
ステップ１３５（Ｓ１３５）において、発注者は、発注者端末４０２を操作して、発議書に対する承認処理を行うと、発注者端末４０２は、この発議書に対する承認情報を受発注者間情報共有システム２にアップロードする。受発注者間情報共有システム２は、受発注者端末４０２からアップロードされた承認情報を打合せ簿フォルダ２２２（図３（Ｃ））に承認ファイルとして格納し、受注者端末４０４又は資材メーカ端末４０６から閲覧可能にする。
【００４８】
ステップ１４０（Ｓ１４０）において、受注者は、受注者端末４０４を操作して、資材メーカ端末４０６（検査機関端末４０８でもよい）に対して建設資材の試験を依頼する。試験の依頼は、受注者端末４０４が受発注者間情報共有システム２及び資材情報共有システム３を介して、工事ＩＤ及び資材ＩＤを資材メーカ端末４０６などに送信することにより行ってもよいし、受注者端末４０４が直接資材メーカ端末４０６などに工事ＩＤ及び資材ＩＤを送信することにより行ってもよい。受発注者間情報共有システム２は、資材情報共有システム３を介して、作成された資材レコードに対するアクセス権を、試験を依頼された資材メーカ端末４０６（又は検査機関端末４０８）に発行する。なお、資材メーカ端末４０６に対して、カタログ情報のリンクコードを登録するために既に資材レコードへのアクセス権が付与されている場合には、あらためてアクセス権を発行する必要はない。
【００４９】
ステップ１４５（Ｓ１４５）において、試験を依頼された品質検査者は、資材メーカ端末４０６（又は検査機関端末４０８）を操作して、試験成績表の文書ファイルを作成する。この文書ファイルには、受注者から通知された建設工事の工事ＩＤ（その他、建設工事を特定するための情報）と、受注者から通知された建設資材の試験結果（すなわち、建設工事で用いられた建設資材の試験結果）とが含まれている。
ステップ１５０（Ｓ１５０）において、資材メーカ端末４０６（又は検査機関端末４０８）は、品質検査者の操作に応じて、試験成績表の文書ファイルにディジタル署名を施し、文書ファイルのアップロードを行うべく資材情報共有システム３にログインする。
【００５０】
ステップ１５５（Ｓ１５５）において、資材メーカ端末４０６（又は検査機関端末４０８）は、付与されたアクセス権に基づいて、資材情報共有システム３で管理されている資材レコードにアクセスし、ディジタル署名が付された試験成績表を資材情報共有システム３に登録する。資材情報共有システム３は、登録された試験成績表へのリンクコードを生成し、生成されたリンクコード（試験成績表へのリンク情報）を受発注者間情報共有システム２に送信する。受発注者間情報共有システム２は、資材情報共有システム３から受信した試験成績表のリンクコードを工事ファイル（本例では品質管理フォルダ内）に登録する。
【００５１】
ステップ１６０（Ｓ１６０）において、受注者は、建設工事に関する情報の電子納品が要求されると、受注者端末４０４を操作して、受発注者間情報共有システム２で管理されている工事フォルダ内のデータ（例えば、カタログ情報へのリンクコード、及び、試験成績表へのリンクコード）をまとめて、電子納品フォルダを作成する。
ステップ１６５（Ｓ１６５）において、受発注者間情報共有システム２は、発注者端末４０２からの要求に応じて、作成された電子納品フォルダへのアクセスを許可し、電子納品フォルダ内のファイルを提供する。発注者は、電子納品フォルダ内のファイルを発注者端末４０２上で確認する。例えば、発注者は、電子納品フォルダに含まれている試験成績表のリンクコードを選択操作すると、資材情報共有システム３に管理されている試験成績表にアクセスすることができる。この試験成績表は、ディジタル署名がなされており、発注者は、このディジタル署名を電子認証システムで照会することにより、試験成績表の改竄の有無、及び、試験成績表の発行者（品質検査者）の本人性などを確認することができる。
【００５２】
次に、資材発議処理（図６のＳ１１０〜Ｓ１３０）の処理をより詳細に説明する。
図７は、資材発議処理（Ｓ２０）のフローチャートである。
図７に示すように、ステップ２００（Ｓ２００）において、受注者は、受発注者間情報共有システム２にログインする。ログイン時には、建設工事が受注者によって指定されるため、受発注者間情報共有システム２は、工事ＩＤを特定する。工事管理プログラム５（図２）の権限管理部５３０は、受注者のユーザＩＤ及びパスワード、並びに、工事ＩＤに基づいてユーザ認証を行い、認証結果に応じて、工事ＩＤに対応付けられた工事ファイル及び工事レコードへのアクセスを許可する。
【００５３】
ステップ２１０（Ｓ２１０）において、受注者は、使用予定の建設資材を発注者に発議すべく発議ファイルの作成を指示する。工事レコード管理部５１０は、受注者からの指示に応じて、工事ＩＤに対応付けて、発議ファイルを作成し、さらに、ＤＢ連携部５２０及び情報転送部６００を介して、資材レコード管理部６１０に、工事ＩＤに対応付けられた資材ファイルを作成させる。
ステップ２２０（Ｓ２２０）において、受注者は、資材ＤＢ３２に登録されているカタログ情報などを検索して、所望の建設資材を選択する。資材レコード管理部６１０は、受注者により選択された建設資材の資材ＩＤを資材ファイルに登録し、この建設資材の資材レコードを作成する。
ステップ２３０（Ｓ２３０）において、権限管理部５３０は、資材レコード管理部６１０によって資材レコードが作成されると、この資材レコードへのアクセス権を、選択された建設資材の提供者の資材メーカ端末４０６に発行する。
【００５４】
ステップ２４０（Ｓ２４０）において、資材提供者は、付与されたアクセス権を用いて、資材レコードにアクセスし、選択された建設資材のカタログ情報の登録を指示する。なお、資材管理プログラム６は、カタログ情報が既に資材ＤＢ３２に登録されている場合には、登録されているカタログ情報を使用し、これ以外の場合に、カタログ情報のアップロードを資材提供者に要求する。カタログ登録部６３０は、資材メーカ端末４０６からカタログ情報がアップロードされた場合には、アップロードされたカタログ情報を資材ＤＢ３２に登録する。リンク生成部６２０は、アップロードされたカタログ情報（又は、既に登録されていたカタログ情報）へのリンクコードを生成し、生成されたリンクコードを資材レコード管理部６１０に出力する。
【００５５】
ステップ２５０（Ｓ２５０）において、資材レコード管理部６１０は、リンク生成部６２０により生成されたリンクコードを、資材レコードに登録する。
ステップ２６０（Ｓ２６０）において、受注者は、使用予定の建設資材の選択が終了した場合、Ｓ２７０の処理に移行し、さらに建設資材を選択する場合には、Ｓ２１０の処理に戻って、次の建設資材を選択する。
ステップ２７０（Ｓ２７０）において、受注者は、建設資材の選択を終えると、他の書誌的な事項（例えば、発議日、承認期限など）を入力し、発議ファイルの登録を指示する。工事レコード管理部５１０は、受注者からの指示に応じて、資材レコード管理部６１０からカタログ情報のリンクコード（資材レコードに登録されたもの）を取得し、取得されたリンクコードと、受注者からの入力情報とを用いて、建設資材の発議ファイルを作成し、作成された発議ファイルを受発注ＤＢ２２の工事フォルダ（本例では打合せ簿フォルダ）に登録する。
【００５６】
建設資材の発議ファイルが打合せ簿フォルダに登録されると、発注者は、この発議ファイルを閲覧可能になる。発注者は、受発注者間情報共有システム２にログインして発議ファイルにアクセスすると、工事レコード管理部５１０は、発注者からのアクセスに応じて、図８（Ａ）に例示する発議書の表示画面８を発注者端末４０２に表示させる。
図８（Ａ）に例示するように、発議書の表示画面８には、工事ＩＤ、工事名、発議日、発議のタイトル、起案者及び工種などが表示される書誌事項表示エリア８００と、建設資材のカタログ情報へのリンクボタンが表示されるリンク表示エリア８１０と、発議内容に対して承認操作を行う承認ボタン８２０と、発議内容に対して変更指示操作を行う変更指示ボタン８３０と、変更内容等を入力するコメント入力エリア８４０とが設けられている。発注者がリンク表示エリア８１０のリンクボタンをクリックすると、発注者端末４０２は、リンク情報に基づいて、資材ＤＢ３２のカタログ情報にアクセスし、図８（Ｂ）に例示するように、カタログ情報を表示する。表示されるカタログ情報には、例えば、資材ＩＤ、資材名、資材の製造元、品番、規格、製造年月日及び原料などが含まれている。
【００５７】
次に、試験結果登録処理（図６のＳ１４０〜Ｓ１５５）の処理をより詳細に説明する。
図９は、試験結果登録処理（Ｓ３０）のフローチャートである。なお、本例では、検査機関の品質検査者に試験が依頼された場合を具体例として説明する。
図９に示すように、ステップ３００（Ｓ３００）において、受注者は、検査機関の品質検査者に建設工事の工事ＩＤ及びその建設工事で用いられた建設資材の資材ＩＤを指定して、この建設資材の品質検査を依頼する。このとき、品質検査（試験）を依頼された品質検査者には、この工事ＩＤ及び資材ＩＤに対応する資材レコードへのアクセス権が付与される。
品質検査者は、検査機関端末４０８を操作して、試験対象となる建設資材の情報（資材ＩＤ、資材名、規格など）と、この建設資材が用いられた建設工事に関する情報（工事ＩＤ、工事名、建設資材の使用場所など）を入力する。
工事情報取得部７００（図５）は、品質検査者の入力操作に応じて、工事ＩＤなどが含まれた書誌事項ファイルを作成する。
【００５８】
ステップ３１０（Ｓ３１０）において、品質検査者は、検査機関端末４０８を操作して、試験結果を入力する。試験情報生成部７１０は、品質検査者からの入力操作に応じて、試験成績表（試験結果）のデータファイルを作成する。
ステップ３２０（Ｓ３２０）において、電子署名部７２０は、工事情報取得部７００により作成された書誌事項ファイルと、試験情報生成部７１０により作成された試験成績表のデータファイルとを統合し、統合ファイルを作成する。したがって、統合ファイルには、工事ＩＤなどの建設工事に関する情報と、資材ＩＤなどの資材に関する情報と、試験成績表とが含まれている。
ステップ３３０（Ｓ３３０）において、電子署名部７２０は、作成された統合ファイルのハッシュ値を算出する。
ステップ３４０（Ｓ３４０）において、電子署名部７２０は、自己の秘密鍵を用いて、統合ファイルを暗号化し、暗号化された統合ファイルにハッシュ値を添付して証明書付加部７４０に出力する。
【００５９】
ステップ３５０（Ｓ３５０）において、証明書付加部７４０は、電子署名部７２０から入力された統合ファイル（暗号、ハッシュ値付加）に対して、電子証明書を添付し、電子証明書が添付された統合ファイルを試験結果登録部７５０に出力する。なお、この電子署名は、電子署名部７２０により用いられる秘密鍵に対応している。すなわち、この電子署名は、電子認証システムに登録した公開鍵の発行者を証明するものであり、証明される公開鍵は、電子署名部７２０により用いられた秘密鍵とペアになるものである。
ステップ３６０（Ｓ３６０）において、試験結果登録部７５０は、付与されたアクセス権に基づいて、図１の資材情報共有システム３（資材情報登録部６４０）にアクセスして、統合ファイル（ハッシュ値及び電子証明書が添付された暗号ファイル）を登録する。
ステップ３７０（Ｓ３７０）において、資材情報登録部６４０（図２）は、登録された統合ファイルを、資材レコード管理部６１０を介して資材ＤＢ３２に登録する。
ステップ３８０（Ｓ３８０）において、リンク生成部６２０は、資材ＤＢ３２に登録された統合ファイルへのリンクコードを生成し、生成されたリンクコード（統合ファイルへのリンク情報）を、アクセス権に対応する資材レコードに登録する。資材レコードに登録されたリンクコード（統合ファイルへのリンク情報）は、受発注者間情報共有システム２（受発注ＤＢ２２）に転送されて、受発注者間で共有される。
なお、品質検査の対象となる建設資材が、検査を要する原料から構成されている場合には、この原料に対する検査結果（試験成績表）を統合ファイルに追加してもよい。このように、建設資材の試験成績表と、その原料の試験成績表とをまとめて管理することにより、建設工事で用いられた建設材料及びその原料の追跡（トレース）が可能になる。
【００６０】
以上説明したように、本実施形態における情報共有システム１は、建設工事の受発注者間の情報共有を実現する受発注者間情報共有システム２と、建設資材のカタログ情報及び試験成績表を管理する資材情報共有システム３とを互いに連携させることにより、建設工事で用いられる建設資材の情報を、発注者、受注者、資材提供者及び品質検査者の間で共有させることができる。
特に、本例の情報共有システム１は、カタログ情報及び試験成績表（統合ファイル）を資材ＤＢ３２に登録しておき、これらのリンク情報を受発注者間で共有させることにより、データ転送量を低減させると共に、カタログ情報及び試験成績表の原本性を保証する。
また、本例の情報共有システム１は、試験成績表を建設工事（工事ＩＤ）に対応付けて管理することにより、試験成績表の使いまわしを防止する。特に、建設工事を特定する情報（工事ＩＤ）と試験成績表とを統合して電子認証することにより、建設資材の試験成績表と、この建設資材が用いられた建設工事との組合せが真正であることが保証される。
また、本例の情報共有システム１は、発注者、受注者、資材提供者及び品質管理者により入力される文書ファイルの共通項目を同期させることにより、複数の文書ファイルに含まれる共通項目を都度入力する必要をなくし、かつ、共通項目の確認を不要にする。
【００６１】
［変形例］
次に、上記実施形態の変形例を説明する。
上記実施形態では、受発注者間の情報共有を実現する受発注者間情報共有システム２と、資材提供者（資材メーカ端末）及び品質検査者（検査機関端末）から提供される情報を管理する資材情報共有システム３とからなる情報共有システム１を具体例として説明したが、これに限定されるものではなく、例えば、資材提供者から提供される情報を管理するシステムと、品質検査者から提供される情報を管理するシステムとを分離してもよい。また、商社などのように建設資材の中間供給者のシステムを追加してもよい。
【００６２】
図１０は、第２の情報共有システム１２を例示する図である。なお、本図に示された各構成のうち、図１に示された構成と実質的に同一のものには同一の符号が付されている。
図１０に例示するように、第２の情報共有システム１２は、図１の情報共有システム１に、資材供給中間共有システム３４と、試験情報登録システム３６とを追加した構成をとる。
資材供給中間共有システム３４は、建設資材の中間提供者（商社）が使用する資材商社端末４１０から提供される情報を管理する。より具体的には、受注者が商社を指定して資材を選択すると、資材共有中間共有システム３４は、指定された商社に、この建設工事に対応する資材ファイルへのアクセス権を付与する。商社の資材商社端末４１０は、付与されたアクセス権に基づいて、資材供給中間共有システム３４にログインして、資材レコードにアクセスして、選択された資材を選択する。資材供給中間共有システム３４は、資材商社端末４１０により資材が選択されると、資材情報共有システム３に資材レコードを作成させて、選択された資材のカタログ情報を検索し、カタログ情報へのリンクコードを資材レコードに登録される。カタログ情報のリンクコードが資材レコードに登録されると、登録されたリンクコードは、資材情報共有システム３から、資材供給中間共有システム３４を介して受発注者間情報共有システム２に転送される。
試験情報登録システム３６は、図１に例示した資材情報共有システム３の機能のうち、試験成績表を提供する機能を担う。
【図面の簡単な説明】
【００６３】
【図１】調査支援システム１の全体構成を例示する図である。
【図２】工事情報管理プログラム５の機能構成と、資材情報管理プログラム６の機能構成とを例示する図である。
【図３】工事情報管理プログラム５により管理される情報を例示する図である。
【図４】資材情報管理プログラム６により管理される情報を例示する図である。
【図５】（Ａ）は、試験結果登録プログラム７の機能構成を例示する図であり、（Ｂ）は、試験結果登録プログラム７により作成される統合ファイル９を例示する図である。
【図６】情報共有システム１における情報共有動作（Ｓ１０）のシーケンス図である。
【図７】資材発議処理（Ｓ２０）のフローチャートである。
【図８】（Ａ）は、発議書の表示画面８を例示し、（Ｂ）は、リンク先であるカタログ情報の表示画面を例示する。
【図９】試験結果登録処理（Ｓ３０）のフローチャートである。
【図１０】第２の情報共有システム１２を例示する図である。
【符号の説明】
【００６４】
１・・・情報共有システム
２・・・受発注者間情報共有システム
３・・・資材情報共有システム
５・・・工事情報管理プログラム
６・・・資材情報管理プログラム
７・・・試験結果登録プログラム
９・・・統合ファイル
【図１】
2007207137.tif 000003
【図２】
2007207137.tif 000004
【図３】
2007207137.tif 000005
【図４】
2007207137.tif 000006
【図５】
2007207137.tif 000007
【図６】
2007207137.tif 000008
【図７】
2007207137.tif 000009
【図８】
2007207137.tif 000010
【図９】
2007207137.tif 000011
【図１０】
2007207137.tif 000012